(57)【要約】【課題】  ディジタル増幅回路に接続しても安定した動作が可能なスピーカユニットを提供すること。【解決手段】  音声信号が入力される第１のボイスコイル（ボイスコイル５０ａ）と、第１のボイスコイルによって駆動される振動系の動きまたはその振動系による音声を検出する検出手段（検出回路１３）と、第１のボイスコイルとは独立した第２のボイスコイル（ボイスコイル５０ｂ）と、検出手段の検出結果に応じて第２のボイスコイルに印加される電圧を制御することにより、振動系の動きを制御する制御手段（可変抵抗５１）と、を有する。【選択図】  図２
2005323027.tif 000002
【特許請求の範囲】
【請求項１】
音声信号が入力される第１のボイスコイルと、
上記第１のボイスコイルによって駆動される振動系の動きまたはその振動系による音声を検出する検出手段と、
上記第１のボイスコイルとは独立した第２のボイスコイルと、
上記検出手段の検出結果に応じて上記第２のボイスコイルに印加される電圧を制御することにより、上記振動系の動きを制御する制御手段と、
を有することを特徴とするスピーカユニット。
【請求項２】
前記制御手段は、前記検出手段の検出結果に基づき、前記振動系を制動するための電気信号を前記第２のボイスコイルに印加することを特徴とする請求項１記載のスピーカユニット。
【請求項３】
前記第２のボイスコイルに印加される電気信号の信号レベルを調整する調整手段をさらに有することを特徴とする請求項２記載のスピーカユニット。
【請求項４】
前記第２のボイスコイルに印加される電気信号の周波数特性または位相特性を設定する設定手段をさらに有することを特徴とする請求項２記載のスピーカユニット。
【請求項５】
前記検出手段の検出結果を、前記音声信号を供給するディジタル増幅回路にフィードバックするフィードバック手段をさらに有することを特徴とする請求項１記載のスピーカユニット。
【請求項６】
音声信号が入力される第１のボイスコイルと、
上記第１のボイスコイルによって駆動される振動系の動きまたはその振動系による音声を検出する検出手段と、
上記第１のボイスコイルとは独立に上記振動系を駆動可能な第２のボイスコイルと、
上記検出手段により検出された信号を上記第２のボイスコイルへ印加して上記振動系の動きを制御する制御手段と、
を有することを特徴とするスピーカユニット。
【請求項７】
音声信号が入力される第１のボイスコイルと、
上記第１のボイスコイルとは独立に上記振動系を駆動可能な第２のボイスコイルと、
上記第２のボイスコイルに接続され上記第２のボイスコイルの負荷となる素子と、
を有することを特徴とするスピーカユニット。
【請求項８】
ディジタル増幅回路とスピーカユニットとを有する音響装置において、
上記スピーカユニットは、
音声信号が入力される第１のボイスコイルと、
上記第１のボイスコイルによって駆動される振動系の動きまたはその振動系による音声を検出する検出手段と、
上記検出手段の検出結果を上記ディジタル増幅回路にフィードバックするフィードバック手段と、
上記第１のボイスコイルとは独立した第２のボイスコイルと、
上記検出手段の検出結果に応じて上記第２のボイスコイルに印加される電圧を制御することにより、上記振動系の動きを制御する制御手段と、を有し、
上記ディジタル増幅回路は、
上記フィードバック手段によるフィードバックに応じて上記第１のボイスコイルに供給する音声信号を制御する制御手段を有する、
ことを特徴とする音響装置。
【請求項９】
音声信号が入力される第１のボイスコイルによって駆動されるスピーカユニットの振動系の動きまたはその振動系による音声を検出し、
上記検出結果に応じて上記スピーカユニットの第２のボイスコイルに印加する電圧を制御することにより振動系の動きを制御する、
ことを特徴とするスピーカユニットの制御方法。
【発明の詳細な説明】
【技術分野】
【０００１】
本発明は、スピーカユニット、音響装置、およびスピーカユニットの制御方法に関する。
【背景技術】
【０００２】
スピーカの再生特性を改善することを目的としたＭＦＢ（Motional Feed Back）型のスピーカが従来から種々提案されている（特許文献１〜３参照）。
【０００３】
ＭＦＢ型のスピーカでは、振動系の動きを電気信号として検出し、この電気信号を増幅回路に逆相で帰還することにより、機械系を含む全体としてフィードバックループを形成する。このようなフィードバックループを備えた状態で振動系を駆動することで、振動系のピストン振動域における歪みを低減することができる。
【０００４】
図８は、従来におけるＭＦＢ型スピーカの例を示す図である。この図において、音源１０は、例えば、ＣＤ（Compact Disc）再生装置、ＤＶＤ（Digital Versatile Disc）再生装置等の音源であり、例えば、記録媒体に記録されている音声信号を再生して出力する。アナログ増幅回路１１は、例えば、トランジスタまたはＦＥＴ（Field Effect Transistor）等の半導体増幅素子によって構成され、音源１０から供給された音声信号（アナログ信号）を所定のゲインで増幅して出力する。また、アナログ増幅回路１１は、ＭＦＢ型スピーカ１２が有する検出回路１３から出力される振動系の動きに対応した電気信号のフィードバックを受け、ＭＦＢ型スピーカ１２の振動系が音声信号に対応して忠実に振動するように制御する。
【０００５】
ＭＦＢ型スピーカ１２は、アナログ増幅回路１１から供給される音声信号を対応する音圧に変換して出力するとともに、検出回路１３によって振動系の動きを検出してアナログ増幅回路１１にフィードバックする。
【０００６】
図９は、図８に示すＭＦＢ型スピーカ１２の動作を説明するための図である。図９（Ａ）は、音源１０から出力される単発の正弦波を示す図である。このような正弦波が入力された場合、ＭＦＢをかけない状態では、振動系は一定の質量を有することから慣性により、図９（Ｂ）に示すように、振動系は振幅が徐々に減衰する減衰振動を示す。一方、ＭＦＢをかけた場合には、図９（Ｃ）に示すように、振動が急激に減衰し、入力された音声信号に近い振動を得ることができる。
【０００７】
【特許文献１】特開平５−１８３９７８号公報（特許請求の範囲、要約書）
【特許文献２】特開平５−１８３９８０号公報（特許請求の範囲、要約書）
【特許文献３】特開平６−６２４８７号公報（特許請求の範囲、要約書）
【発明の開示】
【発明が解決しようとする課題】
【０００８】
ところで、近年では、ＰＣＭ（Pulse Code Modulation）、ＰＷＭ（Pulse Width Modulation）、ＰＤＭ（Pulse Density Modulation）、ＰＡＭ（Pulse Amplitude Modulation）等のディジタル方式に基づいて信号を増幅する増幅回路が市場に広く流通している。
【０００９】
このようなディジタル方式の増幅回路（以下、「ディジタル増幅回路」と称する）では、アナログ信号ではなく、パルス列としてのディジタル信号が出力されるため、アナログ信号に近い出力を得るためには、出力されるディジタル信号をローパスフィルタ（ＬＰＦ）等によって平滑化する必要がある。
【００１０】
図１０は、ＭＦＢ型スピーカ１２をディジタル増幅回路２０に接続した場合の構成例を示す図である。なお、この図において、図８の場合と対応する部分には同一の符号を付してあるのでその説明は省略する。この図の例では、図８の場合と比較して、アナログ増幅回路１１がディジタル増幅回路２０に置換されている。また、ＭＦＢ型スピーカ１２とディジタル増幅回路２０は、コイル２１およびコンデンサ２２によって構成されるローパスフィルタを介して接続されている。
【００１１】
しかし、このように、ローパスフィルタを介してディジタル増幅回路２０とＭＦＢ型スピーカ１２とを接続すると、このローパスフィルタにおいて位相が変化するため、ディジタル増幅回路２０の動作が不安定になってしまうという問題点がある。
【００１２】
本発明は、上記の事情に基づきなされたもので、その目的とするところは、ディジタル増幅回路に接続しても安定した動作が可能なスピーカユニット、音響装置、およびスピーカユニットの制御方法を提供することを目的とする。
【課題を解決するための手段】
【００１３】
上述の目的を達成するため、本発明のスピーカユニットは、音声信号が入力される第１のボイスコイルと、第１のボイスコイルによって駆動される振動系の動きまたはその振動系による音声を検出する検出手段と、第１のボイスコイルとは独立した第２のボイスコイルと、検出手段の検出結果に応じて第２のボイスコイルに印加される電圧を制御することにより、振動系の動きを制御する制御手段と、を有している。
【００１４】
また、他の発明のスピーカユニットは、上述の発明に加えて、制御手段が、検出手段の検出結果に基づき、振動系を制動するための電気信号を第２のボイスコイルに印加している。
【００１５】
また、他の発明のスピーカユニットは、上述の発明に加えて、第２のボイスコイルに印加される電気信号の信号レベルを調整する調整手段をさらに有している。
【００１６】
また、他の発明のスピーカユニットは、上述の発明に加えて、第２のボイスコイルに印加される電気信号の周波数特性または位相特性を設定する設定手段をさらに有している。
【００１７】
また、他の発明のスピーカユニットは、上述の発明に加えて、検出手段の検出結果を、音声信号を供給するディジタル増幅回路にフィードバックするフィードバック手段をさらに有している。
【００１８】
また、本発明のスピーカユニットは、音声信号が入力される第１のボイスコイルと、第１のボイスコイルによって駆動される振動系の動きまたはその振動系による音声を検出する検出手段と、第１のボイスコイルとは独立に振動系を駆動可能な第２のボイスコイルと、検出手段により検出された信号を第２のボイスコイルへ印加して振動系の動きを制御する制御手段と、を有している。
【００１９】
また、本発明のスピーカユニットは、音声信号が入力される第１のボイスコイルと、第１のボイスコイルとは独立に振動系を駆動可能な第２のボイスコイルと、第２のボイスコイルに接続され第２のボイスコイルの負荷となる素子と、を有している。
【００２０】
また、本発明の音響装置は、スピーカユニットが、音声信号が入力される第１のボイスコイルと、第１のボイスコイルによって駆動される振動系の動きまたはその振動系による音声を検出する検出手段と、検出手段の検出結果をディジタル増幅回路にフィードバックするフィードバック手段と、第１のボイスコイルとは独立した第２のボイスコイルと、検出手段の検出結果に応じて第２のボイスコイルに印加される電圧を制御することにより、振動系の動きを制御する制御手段と、を有し、ディジタル増幅回路が、フィードバック手段によるフィードバックに応じて第１のボイスコイルに供給する音声信号を制御する制御手段を有している。
【００２１】
また、本発明の音響装置の制御方法は、音声信号が入力される第１のボイスコイルによって駆動されるスピーカユニットの振動系の動きまたはその振動系による音声を検出し、検出結果に応じてスピーカユニットの第２のボイスコイルに印加する電圧を制御することにより振動系の動きを制御するようにしている。
【発明の効果】
【００２２】
本発明は、ディジタル増幅回路に接続しても安定した動作が可能なスピーカユニット、音響装置、およびスピーカユニットの制御方法を提供することができる。
【発明を実施するための最良の形態】
【００２３】
以下、本発明の実施の形態について図面に基づいて説明する。
【００２４】
図１は、本発明の第１の実施の形態に係る音響装置の構成例を示す図である。この図において、音源１０は、例えば、ＣＤ再生装置、ＤＶＤ再生装置、ＦＭ／ＡＭチューナ、ＭＤ（Mini Disc）等によって構成され、記録媒体に記録されている音声信号または電波に重畳されて搬送されてきた音声信号を再生して出力する。
【００２５】
ディジタル増幅回路２０は、音源１０から供給された音声信号を、例えば、ＰＣＭ、ＰＷＭ、ＰＤＭ、ＰＡＭ等によって変調し、所定のゲインで増幅して出力する。
【００２６】
コイル２１およびコンデンサ２２は、ローパスフィルタ（Low Pass Filter）ＬＰＦを形成し、ディジタル増幅回路２０から出力されたパルス信号のうち、低域成分のみを通過させることにより、もとのアナログ信号に対応する音声信号を出力する。
【００２７】
スピーカユニット５０は、後述するように２つの独立したボイスコイルを有しており、これらに接続される接続端子ｔ１，ｔ２を有している。接続端子ｔ１には、コイル２１およびコンデンサ２２の端子が接続され、接続端子ｔ２には可変抵抗５１の一方の端子が接続されている。スピーカユニット５０の音が放射される側（エンクロージャーに取り付けられる側と反対側）には、検出手段およびフィードバック手段としての検出回路１３が具備されており、振動系の構成要素である振動板の振動やそれにより生成される音声に対応する電気信号を出力する。検出回路１３は、振動や音声を電気信号に変換するマイクロフォンなどを有し、可変抵抗５１の他端と、ディジタル増幅回路２０に接続されている。したがって、検出回路１３の出力は、ディジタル増幅回路２０にフィードバック信号として供給されるとともに、可変抵抗５１を介してスピーカユニット５０の接続端子ｔ２に接続される。制御手段および調整手段としての可変抵抗５１は、検出回路１３からの出力電圧を降圧して、接続端子ｔ２に供給する。
【００２８】
図２は、図１に示すスピーカユニット５０および検出回路１３の詳細な構成例を示す図である。この図に示すように、スピーカユニット５０は、それぞれが独立した２つのボイスコイル５０ａ，５０ｂを有している。第１のボイスコイルであるボイスコイル５０ａは、その一方がＬＰＦに接続され、他方が接地されている。第２のボイスコイルであるボイスコイル５０ｂは、一方が接地され、他方が可変抵抗５１に接続されている。ボイスコイル５０ａへの入力と、ボイスコイル５０ｂへの入力は、正負が逆転した関係になっている。つまり、ボイスコイル５０ａへの正の入力は、ボイスコイル５０ｂへの負の入力と同様の作用をもたらす。
【００２９】
検出回路１３は、この例では、ダイナミック型のマイクロフォンであり、コイル１３ａと磁石１３ｂによって構成されている。コイル１３ａは、図示せぬ振動板に直接的または間接的に取り付けられている。検出回路１３は、音声の音圧に応じて振動する振動板に合わせて磁界中で振動することにより、音声の音圧に応じた電気信号を発生する。
【００３０】
なお、本発明の実施の形態では、検出回路１３からディジタル増幅回路２０への帰還量は、ディジタル増幅回路２０が発振しない程度の帰還量になるように設定されている。
【００３１】
つぎに、図３を参照して、本発明の第１の実施の形態の動作について説明する。
【００３２】
図３（Ａ）に示す単発の正弦波が音源１０から出力されると、ディジタル増幅回路２０は、これをディジタル信号に変換して増幅する。例えば、ディジタル増幅回路２０の変調方式がＰＷＭ変調の場合には、入力信号（アナログ信号）のそれぞれの時点での振幅に対応する幅を有するパルス信号を生成して出力する。
【００３３】
コイル２１およびコンデンサ２２によって構成されるＬＰＦは、ディジタル増幅回路２０から出力されるディジタル信号から音声帯域の信号を通過させ、それ以外の信号成分については遮断する。その結果、コイル２１およびコンデンサ２２から構成されるＬＰＦからは、もとの音声信号に対応するアナログ信号が出力される。
【００３４】
このようにしてＬＰＦを通過した音声信号は、スピーカユニット５０のボイスコイル５０ａに供給される。ボイスコイル５０ａは、ＬＰＦを通過した音声信号に応じて振動する。図３（Ｂ）は、ボイスコイル５０ａを含む振動系の変位の時間的変化を示す図である。この図に示すように、ボイスコイル５０ａは、単発の正弦波の入力にも拘わらず、緩やかな減衰振動を示す。
【００３５】
ボイスコイル５０ａが振動すると、図示せぬ振動板が振動して音波が放射される。この音波は、検出回路１３のコイル１３ａを振動させるので、振動に応じた電気信号が出力される。図３（Ｃ）は、このとき出力される音声信号の一例を示している。この例では、図３（Ｂ）に示すボイスコイル５０ａの変位に応じた信号が出力されている。
【００３６】
検出回路１３から出力された音声信号は、可変抵抗５１を介してボイスコイル５０ｂに供給されるとともに、ディジタル増幅回路２０に供給される。ここで、ボイスコイル５０ｂに供給される音声信号は、図２の回路図中に矢印で示すように、ボイスコイル５０ａに流入する電流とは方向が逆になる。ボイスコイル５０ａ，５０ｂの巻回方向は、共に同一であるので、ボイスコイル５０ｂには、図３（Ｄ）に示すように、ボイスコイル５０ａとは逆方向の力が作用することになる。このため、ボイスコイル５０ｂには、振動板を制動する方向の力が発生する。一方、ディジタル増幅回路２０に対してフィードバックされる音声信号は、モーショナルフィードバックとなって、振動板の動作がディジタル増幅回路２０に入力される音声信号に忠実になるように制御されるので、減衰振動が抑制される方向に制動がなされる。その結果、ボイスコイル５０ｂによる制動と、モーショナルフィードバックによる制動が作用することにより、振動板の振動は図３（Ｅ）のようになり、図３（Ａ）に示す入力波形に近い動作となる。
【００３７】
なお、本発明の第１の実施の形態では、前述したように、検出回路１３からディジタル増幅回路２０への帰還量は、ディジタル増幅回路２０が発振しない程度に抑えてあるため、モーショナルフィードバックによってディジタル増幅回路２０が発振することが防止される。
【００３８】
以上に説明したように、本発明の第１の実施の形態では、ボイスコイル５０ｂに対して検出回路１３からの信号を逆相で供給し、振動板の振動を制動することで、ディジタル増幅回路２０への帰還量を減少させることができるので、モーショナルフィードバックを実現しつつディジタル増幅回路２０の発振を防止できる。
【００３９】
なお、以上の実施の形態では、検出回路１３からディジタル増幅回路２０へは検出信号を直接帰還するようにしたが、例えば、図４に示すように、検出回路１３とディジタル増幅回路２０との間に可変抵抗５２を挿入して、帰還量を調整できるようにしてもよい。このような実施の形態によれば、可変抵抗５１を調整することによりボイスコイル５０ｂへの帰還量を調整し、可変抵抗５２を調整することによりディジタル増幅回路２０への帰還量を調整することが可能になる。したがって、例えば、可変抵抗５２を調整してディジタル増幅回路２０が発振しないように帰還量を調整し、可変抵抗５１を調整して制動量が適切になるように設定することができる。また、これらを調整することにより、スピーカユニット５０の低域共振周波数ｆ０または共振の鋭さＱ０を所望の値に設定できる。
【００４０】
また、検出回路１３の出力を図示せぬ増幅回路によって増幅し、所定の制動力が得られるようにしてもよい。
【００４１】
つぎに、図５を参照して、本発明の第２の実施の形態について説明する。
【００４２】
図５は、本発明の第２の実施の形態に係る音響装置の構成例を示す図である。なお、この図において、図１と対応する部分には、同一の符号が付してあるので、その説明は省略する。図５においては、図１の場合と比較して、可変抵抗５１が除外され、抵抗６０とコンデンサ６１が新たに付加されている。その他の構成は、図１の場合と同様である。
【００４３】
ここで、設定手段である抵抗６０と同じく設定手段であるコンデンサ６１は、ＬＰＦを構成しており、低域成分のみがボイスコイル５０ｂに供給される。このため、第２の実施の形態では、検出回路１３の出力のうち低い周波数成分がボイスコイル５０ｂに主に供給される。この結果、低い周波数成分に対してより強く制動がかかることになる。なお、抵抗６０とコンデンサ６１による時定数を調整することにより、ボイスコイル５０ｂに対する制動の周波数特性および／または位相特性を設定することが可能になる。
【００４４】
以上に説明したように、本発明の第２の実施の形態では、検出回路１３の出力をＬＰＦを介してボイスコイル５０ｂに供給するようにしたので、所望の帯域に制動を強くかけることが可能になる。
【００４５】
なお、以上の実施の形態では、ＬＰＦの場合を例に挙げて説明したが、例えば、ハイパスフィルタ（High Pass Filter）ＨＰＦ、バンドパスフィルタ（Band Pass Filter）ＢＰＦ、バンドエリミネーションフィルタ（Band Elimination Filter）ＢＥＦ等の他のフィルタを適用することも可能である。また、周波数特性ではなく位相特性を設定することも可能である。さらに、以上の実施の形態ではＲＣによるパッシブＬＰＦの例を挙げて説明したが、ＬＣＲによるパッシブフィルタやアクティブフィルタを適用することも可能である。
【００４６】
つぎに、図６を参照して、本発明の第３の実施の形態について説明する。
【００４７】
図６は、本発明の第３の実施の形態に係る音響装置の構成例を示す図である。なお、この図において、図１と対応する部分には、同一の符号を付してあるので、その説明は省略する。図６においては、図１の場合と比較して、可変抵抗５１が除外され、接地された可変抵抗７０が新たに付加されている。その他の構成は、図１の場合と同様である。つまり、可変抵抗７０の一端は、ボイスコイル５０ｂの一端に、可変抵抗７０の他端は、ボイスコイル５０ｂの他端にそれぞれ電気的に接続され、ボイスコイル５０ｂと可変抵抗７０は閉回路を構成する。
【００４８】
この実施の形態では、検出回路１３の出力は、ディジタル増幅回路２０のみに帰還されている。可変抵抗７０は、ボイスコイル５０ｂの負荷となってボイスコイル５０ｂを制動する働きを有している。すなわち、振動板の動作によりボイスコイル５０ｂには起電力が生じ、この起電力は可変抵抗７０によって消費されることから、ボイスコイル５０ｂには制動力が働くことになる。したがって、この可変抵抗７０を調整することにより、減衰振動を早期に収束させるとともに、ディジタル増幅回路２０への帰還量を減少させ、発振が生じることを防止できる。
【００４９】
以上に説明したように、本発明の第３の実施の形態では、ボイスコイル５０ｂに可変抵抗７０を負荷として接続するようにしたので、可変抵抗７０を調整することにより、モーショナルフィードバックに適合した所望の制動力を得ることが可能になる。
【００５０】
つぎに、図７を参照して、本発明の第４の実施の形態について説明する。
【００５１】
図７は、本発明の第４の実施の形態に係る音響装置の構成例を示す図である。なお、この図において、図２と対応する部分には、同一の符号を付してあるので、その説明は省略する。図７においては、図２の場合と比較して、検出回路１３がコンデンサマイク８０と増幅回路８１に置換されている。その他の構成は、図２の場合と同様である。
【００５２】
ここで、検出手段の一部であり、フィードバック手段の一部であるコンデンサマイク８０は、例えば、エレクトレットコンデンサマイク等によって構成され、音圧を受けて変位するコンデンサの極板どうしの距離を電気信号として出力する。検出手段の一部であり、フィードバック手段の一部である増幅回路８１は、例えば、入力にＦＥＴ等の高入力インピーダンス素子を有しており、コンデンサマイク８０の出力を所定のゲインで増幅するともに、インピーダンス変換を行うことを目的としている。
【００５３】
この例では、回路の動作は図２の場合と同様であるが、図２に示すダイナミックマイクに比較して安価なコンデンサマイクを使用することができるので、製造コストを低く抑えることが可能になる。なお、この例では、増幅回路８１が必要になるが、当該増幅回路８１は安価なＩＣチップ等を使用することができるので、全体としてはコストダウンを図ることが可能になる。
【００５４】
なお、上述の各実施の形態は、本発明の好適な例であるが、本発明は、これらに限定されるものではなく、本発明の要旨を逸脱しない範囲において、種々の変形、変更が可能である。
【００５５】
例えば、以上の各実施の形態では、ディジタル増幅回路２０にスピーカユニット５０を接続する場合を例に挙げて説明したが、アナログ増幅回路にスピーカユニット５０を接続することも可能である。
【００５６】
また、以上の実施の形態では、圧力検出型であるダイナミックおよびコンデンサ型のマイクロフォンを例に説明をしたが、速度検出型のマイクロフォン（例えば、リボン型のマイクロフォン）を使用することも可能である。
【００５７】
さらに、以上の各実施の形態の音響装置は、車載用のスピーカ装置やアンプなどに適用可能である。なお、以上の各実施の形態における音響装置は、比較的大きな出力を要求されるウーファー装置やその駆動装置に好適である。
【産業上の利用可能性】
【００５８】
本発明は、例えば、ディジタル増幅回路に接続して使用されるスピーカユニットに利用することができる。
【図面の簡単な説明】
【００５９】
【図１】本発明の第１の実施の形態に係る音響装置の構成例を示す図である。
【図２】図１に示す第１の実施の形態のスピーカユニットおよび検出回路の詳細な構成例を示す図である。
【図３】図１に示す第１の実施の形態の動作を説明するための図である。
【図４】本発明の第１の実施の形態の変形例である。
【図５】本発明の第２の実施の形態に係る音響装置の構成例を示す図である。
【図６】本発明の第３の実施の形態に係る音響装置の構成例を示す図である。
【図７】本発明の第４の実施の形態に係る音響装置の構成例を示す図である。
【図８】従来のＭＦＢ型スピーカの構成例である。
【図９】図８に示すＭＦＢ型スピーカの動作を説明するための図である。
【図１０】従来のＭＦＢ型スピーカをディジタル増幅回路に接続した状態を示す図である。
【符号の説明】
【００６０】
１３  検出回路（検出手段、フィードバック手段）
５０ａ  ボイスコイル（第１のボイスコイル）
５０ｂ  ボイスコイル（第２のボイスコイル）
５１  可変抵抗（制御手段、調整手段）
６０  抵抗（設定手段の一部）
６１  コンデンサ（設定手段の一部）
７０  可変抵抗（負荷手段）
８０  コンデンサマイク（検出手段の一部、フィードバック手段の一部）
８１  増幅回路（検出手段の一部、フィードバック手段の一部）
【図１】
2005323027.tif 000003
【図２】
2005323027.tif 000004
【図３】
2005323027.tif 000005
【図４】
2005323027.tif 000006
【図５】
2005323027.tif 000007
【図６】
2005323027.tif 000008
【図７】
2005323027.tif 000009
【図８】
2005323027.tif 000010
【図９】
2005323027.tif 000011
【図１０】
2005323027.tif 000012